(57)【要約】【課題】反射部材の配置位置を変更した場合においても、照明器具からの光を、効率的に反射部材において反射して照射空間を照明する配置位置可変照明システムを提供する。【解決手段】照射空間を仕切る仕切り面の任意の位置に配置可能な反射部材２と、この反射部材２に光を照射する光源とを有する配置位置可変照明システムにおいて、反射部材２は、常時使用する主反射面部２１、及び反射部材２と光源である照明器具との距離が増加して天井面１３への照射面積が所定以上増加した場合に段階的に主反射面部２１の外縁にはめ込んで増設される補助反射面部２２が着脱可能となるように構成される。【選択図】図２
2011154830.tif 000002
【特許請求の範囲】
【請求項１】
照射空間を仕切る仕切り面の任意の位置に配置可能な反射部材と、この反射部材に光を照射する光源とを有する配置位置可変照明システムにおいて、
前記反射部材は、当該反射部材と光源との距離に応じて当該反射部材の反射面部の大きさを可変な構成としたことを特徴とする配置位置可変照明システム。
【請求項２】
前記反射部材は、常時使用される主反射面部と、前記反射部材と光源との距離が増加するに伴い使用される少なくとも１つ以上の補助反射面部とを備えたことを特徴とする請求項１記載の配置位置可変照明システム。
【請求項３】
前記光源は、照明器具であり、当該照明器具の配置位置を可変としたことを特徴とする請求項１又は２記載の配置位置可変照明システム。
【発明の詳細な説明】
【技術分野】
【０００１】
本発明は、照射空間を仕切る仕切り面の任意に位置に配置が可能な反射部材と、この反射部材に光を照射する照明器具とを有する配置位置可変照明システムに関する。
【背景技術】
【０００２】
従来より、室内等の照明装置として、例えば、灯具水平回転範囲が大きく、部品点数が少なく組み立て作業性が向上できる照射方向可変照明器具（例えば、特許文献１参照）や、複数のＥＬ（Electro Luminescence）パネルを連携させて計画的なＥＬパネルの点灯制御を可能にする装置が開示されている（例えば、特許文献２参照）。そして、これらの照明装置では、照明器具そのものを移動する方式であるために、電源回路や光源等の総重量を支持するための取り付け強度が必要となる。
【０００３】
また、天井面の任意の位置に配置できる反射部材と、光源となる照明器具とを組み合わせることにより、当該反射部材を仮想の光源とする間接的な照明システムも用いられている（例えば、特許文献３参照）。
【０００４】
この間接的な照明システムにおいては、反射部材を空間の仕切り面である天井面等にフリーレイアウトな仕様で配置し、壁に埋め込まれた例えばトリミング式カッタースポットライトである照明器具の光を反射部材に照射する。これにより反射部材から反射された光を下方に拡散して室内空間全体に光を拡げることができる。この間接的な照明システムにおいては、照明器具に接続する電源回路を天井面まで設ける必要性がなく、また反射部材の取り付け強度を軽減することが可能となる。
【０００５】
しかしながら、この間接的な照明システムにおいては、反射部材の配置位置によって、すなわち、反射部材と光源との距離が増加すると、光源から天井面への照射面積が増加し、この場合、照明器具からの光を反射部材で反射しきれず照明効率が低下するという問題がある。
【０００６】
また、この間接的な照明システムにおいて、照明器具が高い位置に配置される場合には、ユーザは照明器具の位置や照明方向、ランプ交換等のメンテナンスを容易に行えないという問題もある。
【先行技術文献】
【特許文献】
【０００７】
【特許文献１】特開２０００−３４８５２８号公報
【特許文献２】特開２００７−３４２４０号公報
【特許文献３】特開昭５７−２１００２号公報
【発明の概要】
【発明が解決しようとする課題】
【０００８】
本発明は、上記問題に鑑みてなされたものであり、反射部材の配置位置を変更して反射部材と照明器具との距離を変更した場合においても、照明器具からの光を、より効率的に反射部材において反射可能とする配置位置可変照明システムを提供することを目的としている。
【０００９】
また、照明器具の位置や方向、ランプ交換等のメンテナンスにおけるユーザの利便性をも考慮した配置位置可変照明システムを提供することをも目的としている。
【課題を解決するための手段】
【００１０】
上記目的を達成するために請求項１の発明は、照射空間を仕切る仕切り面の任意の位置に配置可能な反射部材と、この反射部材に光を照射する光源とを有する配置位置可変照明システムにおいて、前記反射部材は、当該反射部材と光源との距離に応じて当該反射部材の反射面部の大きさを可変な構成としたことを特徴とするものである。
【００１１】
請求項２の発明は、前記配置位置可変照明システムにおいて、前記反射部材は、常時使用される主反射面部と、前記反射部材と光源との距離が増加するに伴い使用される少なくとも１つ以上の補助反射面部とを備えたことを特徴とするものである。
【００１２】
請求項３の発明において、前記光源は、照明器具であり、当該照明器具の配置位置を可変としたことを特徴とする。
【発明の効果】
【００１３】
請求項１の発明によれば、反射部材の配置位置に応じて、反射部材の反射面積を容易に調整でき、反射部材の配置位置を変更して照明器具と反射部材との距離を離した場合であっても、反射部材における光の反射効率の低減を極力防止できる。
【００１４】
請求項２の発明によれば、反射部材の配置位置を変更して照明器具と反射部材との距離を離した場合であっても、例えば補助反射面部を主反射面部に増設することにより反射部材の反射面積を調整でき、反射部材における光の反射効率の低減を防止できる。
【００１５】
請求項３の発明によれば、照明器具の位置や方向、ランプ交換等のメンテナンスにおけるユーザの利便性をも考慮した配置位置可変照明システムを提供できる。
【図面の簡単な説明】
【００１６】
【図１】（ａ）は、実施の形態１に係る配置位置可変照明システムの全体図、（ｂ）は、室内空間の断面図である。
【図２】（ａ）は、実施の形態１に係る配置位置可変照明システムにおいて用いられる反射部材の着脱状態の説明図、（ｂ）は反射部材が天井面に配置されている場合の構成図である。
【図３】実施の形態１に係る配置位置可変照明システムにおいて、照明器具の配置位置を可変とした場合の照明空間の全体図である。
【図４】（ａ）は、実施の形態２に係る配置位置可変照明システムに用いる反射部材を天井面に設置した場合の構成図、（ｂ）は、反射部材を展開する際の動作説明図、（ｃ）は、反射部材の展開後の構成図である。
【図５】（ａ）は、実施の形態３に係る配置位置可変照明システムに用いる反射部材を天井に設置した場合の構成図、（ｂ）は補助反射面部の展開後の構成図である。
【図６】実施の形態３の変形例１に係る反射部材の構成図である。
【図７】（ａ）は、実施の形態３の変形例２に係る反射部材の展開後の構成図、（ｂ）は、反射部材の展開前の収納状態の構成図である。
【図８】（ａ）は、実施の形態４に係る反射部材を天井に設置した場合の構成図、（ｂ）は補助反射面の展開後の構成図である。
【図９】（ａ）は、光源である照明器具と反射部材との間に他の反射部材を設置した場合の構成図、（ｂ）は光源である照明器具と反射部材との間の光の進行方向の説明図である。
【発明を実施するための形態】
【００１７】
以下、本発明の各実施の形態に係る配置位置可変照明システム（以下、照明システムという）について図面を参照しながら説明する。
【００１８】
（実施の形態１）
図１（ａ）、（ｂ）及び図２は、本実施の形態１に係る照明システム１を示す。照明システム１は、照明空間を仕切る仕切り面である天井面１３の任意の位置に配置可能な反射部材２と、この反射部材２に光を照射するための照明器具１１とを備える。
【００１９】
この照明システム１では、反射部材２を介して室内空間を間接的に照明するため、使用者が照明器具１１からの光を直接眼にすることを防止でき、また、照明器具１１を天井に固定するために必要な電源回路や強度を必要としない。
【００２０】
反射部材２は、照明空間の仕切り面となる天井面１３の任意の位置に配置可能であり、照明器具１１により照射された光を照明空間側に反射する。また、反射部材２は、配置位置を容易に変更可能とするため、天井面１３にダクトやレールで保持されるか、又は天井面１３の任意の位置に差し込む方式など着脱自在な構造を持つ。また、本実施の形態１において、反射部材２は、照明器具１１との距離の変更に応じて光の反射面積を変更できるものである。
【００２１】
照明器具１１は、図１（ｂ）に示すように、照明空間の側壁１２に埋め込まれた構造で、天井面１３に配置された反射部材２に向けて斜め上方に光を照射する。また、照明器具１１は様々な種類の光源、例えば蛍光灯を中心とする放電灯、またＬＥＤを中心とする半導体光源である。
【００２２】
なお、照明器具１１は、天井面１３以外の面、例えば床、壁や什器等に埋め込まれた構造として固定されていてもよいし、後述するように固定せずに照明空間の任意の位置に配置できるフリーレイアウトな仕様であっても構わない。
【００２３】
そして、本実施の形態１に係る照明システム１は、例えば住宅内、オフィス、学校、病院、及び店舗等の非住宅施設等の照明空間において用いられるものである。
【００２４】
図２（ａ）に示すように、反射部材２は、常時使用する主反射面部２１、及び反射部材２と光源である照明器具１１との距離が増加して天井面１３への照射面積が所定以上増加した場合に段階的に主反射面部２１の外縁にはめ込んで増設される補助反射面部２２が着脱可能に構成されている。この構成により、反射部材２の天井面１３での配置位置の変更に応じて反射部材２の反射面積を適宜調整することが可能となる。
【００２５】
なお、主反射面部２１及び補助反射面部２２の反射表面は、例えば反射率９０％以上の高反射率とし、例えば全て金属材で構成されるか、もしくは樹脂等の基板に銀蒸着等の表面処理を行い金属材でコーティングすることで反射率を高めたものである。
【００２６】
また、補助反射面部２２は、本図に示す１枚の構成のみでなく、複数枚を増設する構成とでき、また、本図では主反射面部２１は円柱形状、補助反射面部２２は円筒形状であるが、この形状に限られるものではなく、多角形状等のいかなる形状でもよい。
【００２７】
以上の説明のように、本実施の形態１に係る照明システム１においては、反射部材２の天井面１３での配置位置の変更に応じて、主反射面部２１に補助反射面部２２を増設できる。このため、照明システム１を用いる場合でも反射部材２の光の反射面積を容易に調整でき、反射部材２の反射効率の低減を極力防止できる。
【００２８】
（実施の形態１の変形例）
図３は、同変形例を示し、この変形例は本実施の形態１に係る照明システム１において、照明器具３１，３２の配置位置を可変としたものである。
【００２９】
本変形例では、照明器具３１，３２を例えば床、側壁や什器等に埋め込まれた構造として固定するのではなく、「置くだけ」の形でフリーレイアウトの仕様とする。なお、照明器具３１，３２は、給電方式としてワイヤ接続されていてもよいが、充電式電池等を採用するワイヤレス方式の方が、より相性がよい。
【００３０】
このように、本変形例においては、反射部材２の配置位置のみでなく、照明器具３１，３２の配置位置を適宜可変とする構成により、空間意匠の観点で、デザイン的なノイズレス化を図れると共に、照明器具３１，３２の配置や個数を増やすことで、ユーザの好みに応じて光色や光量についても様々なバリエーションを展開することができる。
【００３１】
また、電気工事を伴わずに簡単に照明器具３１，３２の位置や方向を変更することができ、さらに照明位置は天井面３３への設置時と比較して、より低位置にあるので照明器具３１，３２の電気配線の省略、取り付けのための強度部材を削減し、さらにランプ交換等のメンテナンス作業も容易にできる。
【００３２】
（実施の形態２）
図４は、照明システムの実施の形態２を示す。図４（ａ）は、本実施の形態２に係る照明システムに用いる反射部材４を天井面１３に設置した構成を、図４（ｂ）は、反射部材４を展開する際の動作を、図４（ｃ）は、反射部材４の展開後の構成を示している。
【００３３】
図４（ｂ）に示すように、反射部材４は、常時使用される主反射面部４１、及び主反射面部４１に回転軸４４を中心に回転可能に連結され、反射部材４と照明器具との距離が増加するに伴い回転して用いられる２つの補助反射面部４２，４３から構成されている。なお、本図において補助反射面部４２，４３は２枚であるものとして説明しているが、１枚若しくは２枚以上の枚数としても構わない。
【００３４】
このように、本実施の形態２に係る照明システムにおいては、反射部材４の天井面１３での配置位置の変更に応じて、補助反射面部４２，４３を回転させることで反射部材４の光の反射面積を適宜調整でき、反射部材４の反射配置によって反射効率が低減することを極力防止できる。
【００３５】
（実施の形態３）
次に、図５乃至図７を参照して照明システムの実施の形態３について説明する。図５（ａ）は、本実施の形態３に係る照明システムに用いる反射部材５を天井に設置した場合の構成を、図５（ｂ）は補助反射面部５２ａ〜５２ｄの展開後の構成を示している。
【００３６】
本図に示すように、反射部材５は、常時使用される主反射面部５１、及び主反射面部５１の側面に設けられた引き出し口からスライド可能に設けられ、反射部材５と光源である照明器具との距離が増加するに伴いスライドして用いられる４箇所の補助反射面部５２ａ〜５２ｄとから構成されている。なお、補助反射面部の枚数は４枚に限定されるものではない。
【００３７】
（実施の形態３の変形例１）
図６は、実施の形態３の変形例１に係る反射部材６を示す。反射部材６は、常時使用される主反射面部６１と、主反射面部６１の一側面に設けられた引き出し口から一方向に延伸可能に設けられ、反射部材６と照明器具との距離が増加するに伴い延伸して用いられる３枚の補助反射面部６１ａ〜６１ｃとから構成されている。
【００３８】
また、本図に示す副反射板６２は、反射部材６の一方の長手縁を軸に回動、展開するために設けられたものである。そして、使用者が延伸された補助反射面部６１ａ〜６１ｃと副反射板６２とを適宜調節することで反射面積を増減させ、さらに副反射板６２の長手縁を軸に回動することで反射光の配光をコントロールできるという効果を有している。
【００３９】
（実施の形態３の変形例２）
図７（ａ）は、本実施の形態３の変形例２に係る反射部材７の展開後の構成を、図７（ｂ）は、反射部材７の展開前の収納状態を示す。
【００４０】
この変形例２に係る反射部材７は、「シューマイ蒸し器」の形状に該当し、常時使用される複数の主反射面部７１と、隣り合う主反射面部７１が摺動して重なりあう範囲である複数の補助反射面部７２とから構成され、反射部材７の配置位置に応じて主反射面部７１と補助反射面部７２と領域面積を調節することで反射部材７の反射面積を変更するものである。
【００４１】
以上の説明のように、本実施の形態３に係る照明システムにおいては、反射部材５，６及び７の配置位置に応じて、補助反射面部を所定方向にスライドさせて用いることにより、反射部材５，６及び７の反射面積を容易に調整でき、照明器具から照らされる光の反射効率の低減を極力防止できる。
【００４２】
（実施の形態４）
次に、照明システムの実施の形態４について図８を参照して説明する。
【００４３】
図８（ａ）は、本実施の形態４に係る反射部材８を天井に設置した場合の構成、図８（ｂ）は補助反射面部８２ａ〜８２ｄの展開後の構成を示している。この反射部材８は、常時使用される主反射面部８１と、主反射面部８１に折りたたみ可能に設けられ、反射部材８と光源との距離が増加して天井面１３への照射面積が所定以上増加した場合に段階的に主反射面部２１より折り出して使用される４枚の補助反射面部８２ａ〜８２ｄとから構成されている。このため、反射部材８の反射面積を容易に調整でき、照明器具からの光の反射効率の低減を防止できる。なお、補助反射面部の枚数は４枚に限定されるものではない。
【００４４】
（実施の形態５）
図９（ａ）は、照明器具９１と反射部材９０との間に他の反射部材９２を設置した場合の構成を示し、図９（ｂ）は光源である照明器具９１と反射部材９０，９２との間の光の進行方向を示す。
【００４５】
本図に示すように、本実施の形態５では、反射部材９０と光源である照明器具９１との間に別体の反射部材９２を設ける構成としたので、ランプ交換や電気工事等のメンテナンスをしやすい場所に照明器具を配置することが可能となる。なお、他の反射部材９２は、照明器具９１近傍に別置されていてもよいし、他の反射部材９２と反射部材９０とが一体型であってもよい。また、本発明は、上記実施の形態の構成に限られず、発明の趣旨を変更しない範囲で形状等の変形が可能である。
【符号の説明】
【００４６】
１，３  照明システム
２，４，５，６，７，８，９０，９２  反射部材
１１，３１，３２，９１  照明器具
１３，３３  天井面
２１，４１，５１，６１，７１，８１  主反射面部
２２，４２，４３，５１ａ〜５１ｄ，６１ａ〜６１ｃ，７２，８２ａ〜８２ｄ  補助反射面部
４４  回転軸
６２  副反射板
【図１】
2011154830.tif 000003
【図２】
2011154830.tif 000004
【図３】
2011154830.tif 000005
【図４】
2011154830.tif 000006
【図５】
2011154830.tif 000007
【図６】
2011154830.tif 000008
【図７】
2011154830.tif 000009
【図８】
2011154830.tif 000010
【図９】
2011154830.tif 000011